(57)【要約】  手の指（１２２）の一部分を覆うためのデバイス（１０２）が提供され、指の爪（１２０）の上に配置されるようなサイズおよび形状を有するパッドが爪に着脱自在に貼付可能である。パッドの下面に塗布される接着剤が、パッドが爪に付着されているときパッドが爪から手動で取り外されるまでそのパッドを爪に貼付された状態で維持するのに十分な強度を有する。パッドの上面は、パッドが爪に貼付されていない場合に提供される手信号と比較してパッドが爪に貼付されている場合に提供される手信号の視認性を向上させるような、反射性を有する。【選択図】図４
2014515304.tif 000002
【特許請求の範囲】
【請求項１】
手の指の一部分を覆うためのデバイスであって、
前記指の爪に着脱自在に貼付可能であり、前記指の前記爪の上に配置されるようなサイズおよび形状を有するパッドと、
前記パッドの下面に塗布され、前記パッドが前記爪に付着されているとき前記パッドが前記爪から手動で取り外されるまで前記パッドを前記爪に貼付された状態で維持するのに十分な強度を有する接着剤と、
を備え、
前記パッドの上面が、前記パッドが前記爪に貼付されていない場合に提供される手信号と比較して前記パッドが前記爪に貼付されている場合に提供される手信号の視認性を向上させるような、反射性を有する、
デバイス。
【請求項２】
前記パッドが前記爪に貼付されているときに湿気を退けるような耐湿性の材料で前記パッドが形成される、請求項１に記載のデバイス。
【請求項３】
前記耐湿性の材料がビニール材料である、請求項２に記載のデバイス。
【請求項４】
前記接着剤が感圧性のアクリル接着剤である、請求項１に記載のデバイス。
【請求項５】
前記パッドが、直線状の頂縁部と、アーク形状の底縁部と、アーク形状の左側縁部と、アーク形状の右側縁部とによって境界を形成される平面体を備える、請求項１に記載のデバイス。
【請求項６】
前記パッドが前記指の前記爪の上のみに配置されるようなサイズを有し、
前記頂縁部が約０．６３５センチメートルの長さを有し、
前記底縁部が約０．７０９センチメートルのアーク長さを有し、
前記左側縁部が約０．４０１センチメートルのアーク長さを有し、
前記右側縁部が約０．４０１センチメートルのアーク長さを有する、
請求項５に記載のデバイス。
【請求項７】
前記底縁部が約０．８４６センチメートルの半径を有する円の円弧に一致し、
前記左側縁部が約０．５００センチメートルの半径を有する円の円弧に一致し、
前記右側縁部が約０．５００センチメートルの半径を有する円の円弧に一致する、
請求項６に記載のデバイス。
【請求項８】
前記パッドが、前記パッドと前記パッドの周りの領域との間に視覚コントラストをもたらすように、白色に着色される、請求項１に記載のデバイス。
【請求項９】
前記パッドが着脱自在に貼付される転写シートをさらに備え、前記転写シートが、前記パッドが前記転写シートから手動で取り外されるまで前記パッドを保持する、請求項１に記載のデバイス。
【請求項１０】
複数のパッドが前記転写シートに着脱自在に貼付されかつ前記転写シート上で１つまたは複数の列として配置され、
個別の列が、前記手の５本の指にそれぞれ対応する５つのパッドを含む、
請求項９に記載のデバイス。
【請求項１１】
手の指の一部分を覆うためのデバイスであって、
前記指の爪に着脱自在に貼付可能であり、前記指の前記爪の上のみに配置されるようなサイズを有するパッドと、
前記パッドの下面に塗布され、前記パッドが前記爪に付着されているとき前記パッドが前記爪から手動で取り外されるまで前記パッドを前記爪に貼付された状態で維持するのに十分な強度を有する、感圧性のアクリル接着剤と、
を備え、
前記パッドの上面が、前記パッドが前記爪に貼付されていない場合に提供される手信号と比較して前記パッドが前記爪に貼付されている場合に提供される手信号の視認性を向上させるような、反射性を有し、
前記パッドが、前記パッドが前記爪に貼付されているときに湿気を退けかつ前記パッドと前記パッドの周りの領域との間に視覚コントラストをもたらすような、白色の耐湿性のビニール材料で形成され、
前記パッドが、約０．６３５センチメートルの長さを有する直線状の頂縁部と、約０．７０９センチメートルのアーク長さを有するアーク形状の底縁部と、約０．４０１センチメートルのアーク長さを有するアーク形状の左側縁部と、約０．４０１センチメートルのアーク長さを有するアーク形状の右側縁部とによって境界を形成される平面体を有する
デバイス。
【請求項１２】
複数のパッドが着脱自在に貼付される転写シートであって、前記複数のパッドの個別のパッドが前記転写シートから手動で取り外されるまで前記複数のパッドを保持する転写シート
をさらに備え、
前記複数のパッドが前記転写シートの上で１つまたは複数の列として配置され、
個別の列が、前記手の５本の指にそれぞれ対応する５つのパッドを含む、
請求項１１に記載のデバイス。
【請求項１３】
手信号の視認性を向上させるための方法であって、
手の指の一部分を覆うためのデバイスを前記指の爪の上に配置するステップであって、前記デバイスが、前記爪の上に配置されるようなサイズおよび形状を有するパッドを含む、ステップと、
前記パッドの反射性の上面が前記爪の表側から離れる向きとなるように、前記パッドを前記爪の上で配向するステップと、
前記パッドの下面に塗布される接着剤が前記爪の表側に結合されて前記パッドを前記爪に貼付するように、前記パッドを前記爪の上に降ろすステップであって、前記接着剤が、前記パッドが前記爪から手動で取り外されるまで前記パッドを前記爪に貼付された状態で維持するのに十分な強度を有する、ステップと
前記パッドが前記爪に貼付されていない場合に提供される手信号と比較して前記パッドが前記爪に貼付されているときに提供される手信号の視認性を向上させるように、手信号を提供するときに前記パッドの前記上面を提示するステップと
を含む方法。
【請求項１４】
前記パッドが着脱自在に貼付される転写シートから前記パッドを取り外すステップであって、前記転写シートが、前記パッドが前記転写シートから手動で取り外されるまで前記パッドを保持する、ステップをさらに含む、請求項１３に記載の方法。
【請求項１５】
前記パッドが、前記パッドが前記爪に貼付されているときに湿気を退けるような耐湿性のビニール材料で形成され、
前記接着剤が感圧性のアクリル接着剤である、
請求項１３に記載の方法。
【請求項１６】
前記パッドの前記下面上の前記接着剤が前記爪から離れるようにするために、前記頂縁部、前記底縁部、前記左側縁部および前記右側縁部のうちの１つの縁部を手動で後方に剥がすことにより前記パッドを前記爪から取り外すステップをさらに含む、請求項１３に記載の方法。
【請求項１７】
前記パッドが、直線状の頂縁部と、アーク形状の底縁部と、アーク形状の左側縁部と、アーク形状の右側縁部とによって境界を形成される平面体を備える、請求項１３に記載の方法。
【請求項１８】
前記パッドが前記指の前記爪の上のみに配置されるようなサイズを有し、
前記頂縁部が約０．６３５センチメートルの長さを有し、
前記底縁部が約０．７０９センチメートルのアーク長さを有し、かつ、約０．８４６センチメートルの半径を有する円の円弧に一致し、
前記左側縁部が約０．４０１センチメートルのアーク長さを有し、かつ、約０．５００センチメートルの半径を有する円の円弧に一致し、
前記右側縁部が約０．４０１センチメートルのアーク長さを有し、かつ、約０．５００センチメートルの半径を有する円の円弧に一致する、
請求項１７に記載の方法。
【請求項１９】
前記手信号が、野球のキャッチャが野球の試合をコールするときに、野球のピッチャに向けて野球のキャッチャによって提供される、請求項１３に記載の方法。
【請求項２０】
パッドを前記手の前記指の各々の個別の爪に貼付するステップをさらに含む、請求項１３に記載の方法。
【発明の詳細な説明】
【技術分野】
【０００１】
関連出願の相互参照
[0001]本出願は、２０１１年５月３１日に出願された「ＨＡＮＤ  ＳＩＧＮＡＬ  ＥＮＨＡＮＣＩＮＧ  ＳＹＳＴＥＭ，  ＤＥＶＩＣＥ  ＡＮＤ  ＰＲＯＣＥＳＳ」と題される米国仮特許出願第６１／４９１，８４８号の優先権を主張する、２０１２年５月２１日に出願された「ＤＥＶＩＣＥ  ＡＮＤ  ＭＥＴＨＯＤ  ＦＯＲ  ＩＭＰＲＯＶＩＮＧ  ＴＨＥ  ＶＩＳＩＢＩＬＩＴＹ  ＯＦ  ＨＡＮＤ  ＳＩＧＮＡＬＳ」と題される米国特許出願第１３／４７６，６３３号の優先権を主張するものであり、これらは各々が参照によりその全体が本明細書に組み込まれる。
【背景技術】
【０００２】
[0002]可聴のコミュニケーションが実現不可能であるかまたは所望されないような状況では、情報を交換するのに手信号が使用され得る。野球の試合では、例えば、ホームプレートにいるキャッチャが、提案される投球および提案されるプレイをピッチングマウンドにいるピッチャに伝達することを目的として手信号を使用することにより、試合をコールすることが一般的である。これらの手信号を相手チームから隠すために、通常、キャッチャは試合をコールする間は自分の手を脚の間に置く。
【０００３】
[0003]しかし、ホームプレートとピッチングマウンドとの間の距離により、ピッチャがキャッチャの指の位置および指の動きを見ることが困難となる場合がある。さらに、例えばスタジアムが大きいことおよびナイトゲームで人工的な照明が用いられることなどを原因とする影により、キャッチャの手信号を見ることがさらに妨害される可能性もある。
【０００４】
[0004]キャッチャの手信号の視認性を向上させるために種々の試みが行われてきた。例えば、自分の指の周りにテープを巻くことによって、手信号の視認性を向上させようと試みたキャッチャもいる。しかし、テープで巻かれた指は、テープが指の表側および裏側の両方に配置されることから、ボールを投げることおよび他の形でボールを取り扱うことの妨げとなる可能性がある。また、別の例として、自分の爪に修正液（例えば、Ｗｉｔｅ−Ｏｕｔ（登録商標）、Ｌｉｑｕｉｄ−Ｐａｐｅｒ（登録商標）など）をペイントすることによって、自分の手信号の視認性を向上させようと試みたキャッチャもいる。しかし、爪をペイントするには時間がかかり、また、準備したり洗浄したりすることが必要となる。ペイントされた爪を洗浄する際にこすり落とすのには時間がかかり、また、溶解させるには大がかりとなる。化粧用フィンガネイルデカール（ｃｏｓｍｅｔｉｃ  ｆｉｎｇｅｒｎａｉｌ  ｄｅｃａｌ）または汎用ステッカなどの別のフィンガアクセサリ（ｆｉｎｇｅｒ  ａｃｃｅｓｓｏｒｙ）では、激しい運動競技活動に耐えるのに十分な耐久性を有さない可能性がある。湿気（例えば、水、汗など）がデカールまたはステッカを劣化させる可能性があり、したがってデカールまたはステッカは野球などの過酷な運動競技活動には適さない可能性がある。
【０００５】
[0005]したがって、手信号の視認性を向上させるための改善された手法が必要とされる。
【発明の概要】
【課題を解決するための手段】
【０００６】
[0006]手の指の一部分を覆うためのデバイスが提供される。指の爪の上に配置されるようなサイズおよび形状を有するパッドが着脱自在に爪に貼付可能である。パッドの下面に塗布される接着剤が、パッドが爪に付着されているときパッドが爪から手動で取り外されるまで、そのパッドを爪に貼付された状態で維持するのに十分な強度を有する。パッドの上面は、パッドが爪に貼付されていない場合の手信号と比較してパッドが爪に貼付されている場合に提供される手信号の視認性を向上させるような、反射性を有する。
【０００７】
[0007]パッドの下面に塗布される接着剤は感圧性のアクリル接着剤であってよく、パッドは、爪に貼付されているときに湿気を退けることができる耐湿性のビニール材料で形成されてよい。また、パッドを形成するビニール材料は、パッドとその周りの領域との間に視覚コントラストをもたらすために白色であってよい。さらに、パッドは、約０．６３５ｃｍ（０．２５インチ）の長さを有する直線状の頂縁部と、約０．７０９ｃｍ（０．２７９インチ）のアーク長さを有する弓形底縁部と、約０．４０１ｃｍ（０．１５８インチ）のアーク長さを有する弓形左側縁部と、約０．４０１ｃｍ（０．１５８インチ）のアーク長さを有する弓形右側縁部とによって境界を形成される平面的な本体を有することができる。
【０００８】
[0008]さらに、手信号の視認性を向上させるための方法が提供される。手の指の一部分を覆うためのデバイスが指の爪の上に配置される。このデバイスは、爪の上に配置され得るようなサイズおよび形状を有するパッドを有する。このパッドは、パッドの反射性の上面が爪の表側から離れる向きとなるように、爪の上で配向される。このパッドは、パッドの下面に塗布された接着剤が爪の表側に結合されてパッドを爪に貼付するように、爪の上に降ろされる。接着剤は、パッドが手動で取り外されるまでそのパッドを爪に貼付された状態で維持するのに十分な強度を有する。パッドの上面は、手信号が提供されるとき、パッドが爪に貼付されていない場合の手信号と比較してパッドが爪に貼付されている場合に提供される手信号の視認性が向上するように、提示（ｄｉｓｐｌａｙ）される。
【０００９】
[0009]以下の図を参照することにより本発明をより良く理解することができる。図中の構成要素は必ずしも正確な縮尺ではなく、本発明の原理を例示するために強調されている。これらの図では、複数の図面を通して同様の参照符号が対応する部分を示す。
【図面の簡単な説明】
【００１０】
【図１】[0010]手信号の視認性を向上させるためのデバイスの実装形態の一実施例を示す上面図である。
【図２】[0011]図１の、手信号の視認性を向上させるためのデバイスを示す底面図である。
【図３】[0012]図１の、手信号の視認性を向上させるためのデバイスを付着するための手順を示す斜視図である。
【図４】[0013]それぞれ手の指に付着された状態の、手信号の視認性を向上させるための複数のデバイスを示す上面図である。
【図５Ａ】[0014]手信号の視認性を向上させるためのデバイスを使用する例示の方法を示す斜視図である。
【図５Ｂ】[0015]図５Ａの例示の使用方法を示す拡大図である。
【図５Ｃ】[0016]手信号の視認性を向上させるためのデバイスを使用する例示の方法を示す別の斜視図である。
【図６】[0017]手信号の視認性を向上させるためのデバイスの実装形態の一実施例を示す概略図である。
【図７】[0018]手信号の視認性を向上させるためのデバイスの実装形態の別の一実施例を示す上面図である。
【発明を実施するための形態】
【００１１】
[0019]手信号の視認性を向上させるためのデバイスおよび方法が提供される。野球のキャッチャのコールサインを改善する状況で本デバイスおよび本方法を以下で説明するが、情報を伝達するために手信号が提供されるような任意の状況で本デバイスおよび本方法が採用され得ることを理解されたい。例えば、守備位置にいる野球のプレイヤーが、守備のプレイ情報および別の情報を伝達するためにフィールドから提供される手信号の視認性を向上させるために本デバイスを採用することができる。例えば、ソフトボール、フットボール、バスケットボール、バレーボールなどの別のスポーツの参加者も、ゲームプレイ中に提供される手信号の視認性を向上させるために本デバイスを採用することができる。概して、情報を伝達するのに手信号が使用されるような任意の状況において、個人が手信号を向上させるために本デバイスを採用することができる。
【００１２】
[0020]図１を参照すると、手信号の視認性を向上させるためのデバイス１００の実装形態の一実施例の上面図が示される。デバイス１００は手の指の一部分を覆うように設計される。本説明で使用されるように、「指」は、親指、人差し指、中指、薬指および小指を含めた、手の５本の指を意味する。デバイス１００は、指の爪部分上のみにすなわち指の上側のみに配置されるようなサイズおよび形状を有するパッド１０２を有する。パッド１０２は指の上側のみに付着されることから、例えば野球のボールを投げることまたは別のボール処理活動がパッドにより妨害されることはない。
【００１３】
[0021]パッド１０２は、パッドが爪に付着されているときに爪の形状に一致することができるように、可撓性材料で形成されてよい。また、パッド１０２は、パッドが爪に貼付されているときに湿気（例えば、水、汗など）を退けることができる耐湿性の材料で形成されてよい。例えば、パッド１０２はビニール材料で形成されてよい。パッド１０２の適切なビニール材料は、Ｓｐｅｎｃｅｒ  ＭａｓｓａｃｈｕｓｅｔｔｓのＦＬＥＸＣｏｎから入手可能なＦＬＥＸｍａｒｋ（登録商標）Ｖ  ３２５  Ｆ  ＷＨＩＴＥ  Ｖ−４６５  ８  ＰＴ  ＴＡＧ  ＲＥＭＯＩＳＴＵＲＩＺＥという製品であってよい。また、ビニール材料は、過酷な活動を原因とする摩耗または割れに耐えることができるようにするための耐久性をパッド１０２にもたらすことができる。
【００１４】
[0022]図１に見られるように、パッド１０２は、この実施例では、４つの縁部１０６、１０８、１１０および１１２によって境界を形成される平面体１０４を有する。図１に例として示されるパッド１０２の平面体１０４は、直線状の頂縁部１０６と、アーク形状（すなわち、弓形）の底縁部１０８と、アーク形状の左側縁部１１０と、アーク形状の右側縁部１１２とによって境界を形成される。図１に示されるデバイス１００のパッド１０２の形状が単に例であり、このデバイスのパッドに対して別の形状が選択的に採用されてもよいことが理解される。
【００１５】
[0023]パッド１０２の上面１１４は手信号の視認性を向上させるために反射性である。したがって、パッド１０２の上面１１４の反射性により、パッドが爪に付着されていない場合に提供される手信号と比較してパッドが爪に付着されている場合に提供される手信号の視認性が向上する。パッド１０２の上面１１４に付着される反射性材料は、上面のための光反射品質を有してよい。例えば、パッド１０２の上面１１４に付着される一層の塗料が光沢のある反射性の仕上げ面を提供することができる。上面に反射性を与えるために、別の種類の接着剤がパッド１０２の上面１１４に付着されてもよい。反射性を与えるためにパッド１０２の上面１１４に付着され得る材料には、例えば、クロム、銀、再帰反射材料、燐光性材料（すなわち、暗闇で光る材料（ｇｌｏｗ−ｉｎ−ｔｈｅ−ｄａｒｋ  ｍａｔｅｒｉａｌ））および蛍光材料などが含まれる。
【００１６】
[0024]また、パッド１０２の上面１１４の色が、手信号の視認性を向上させるのを促進することができる。パッド１０２の上面１１４の色が、パッドと周りの領域（例えば、パッドが貼付されている指の皮膚色素、指および手の周りの影など）との間に視覚コントラストをもたらすことができる。パッド１０２と周りの領域との間に視覚コントラストをもたらすことができる色の例には、例えば、光沢のある白色（ｂｒｉｌｌｉａｎｔ  ｗｈｉｔｅ）、蛍光黄色、蛍光オレンジ色および蛍光緑色が含まれる。ピンク色、青色および赤色などの別の例も採用され得る。さらに、特定の状況および環境に応じて、パッド１０２の上面１１４に対して一部の色がより適する可能性がある。パッド１０２の色を選択するときに考慮され得る種々のファクタには、例えば、本デバイスを身に着ける個人の肌の色合い、本デバイスを身に着けるのが昼間であるのかまたは夜間であるのか、本デバイスが使用されるのが屋内であるのかまたは屋外であるのか、パッドを使用する場所の照明条件、および、使用時における本デバイスの周りの影の量などが含まれる。
【００１７】
[0025]次に図２を参照すると、図１のデバイス１００の底面図が示される。接着剤１１６が、パッドを爪に着脱自在に貼付するためにパッド１０２の下面１１８に塗布される。接着剤１１６は、パッドが爪から手動で取り外されるまでデバイス１００のそのパッド１０２を爪に貼付された状態で維持するのに十分な強度を有する。言い換えると、接着剤１１６は、個人がパッドを取り外すことを決定するまで過酷な活動中でもデバイス１００のパッド１０２を爪に貼付された状態で維持するくらいに十分に強く、すなわち、パッドは必要に応じて取り外され得る。適切な接着剤１１６は感圧性のアクリル接着剤であってよく、これもやはり、Ｓｐｅｎｃｅｒ  ＭａｓｓａｃｈｕｓｅｔｔｓのＦＬＥＸＣｏｎから入手可能である。接着剤は例えばＳｕｐｅｒ−Ｔａｃ接着剤であってよい。
【００１８】
[0026]手信号の視認性を向上させるためのデバイス１００を付着する手順が図３に示される。デバイス１００を付着するために、デバイスのパッド１０２が指１２２の爪１２０の上に配置される。パッド１０２は、パッドの反射性の上面１１４が爪１２０の表側１２４から離れる向きとなるように、爪１２０の上で配向される。デバイス１００のパッド１０２は、さらに、パッドのアーク形状の底縁部１０８が爪のあま皮１２６の隣に配置されかつパッドの直線状の頂縁部１０６が爪の遠位端１２８の隣に配置されるように、爪１２０に対して配向されてよい。パッド１０２の縁の別の向きが選択的に採用されてもよいことが理解される。
【００１９】
[0027]次いで、パッド１０２が爪の上に降ろされ、パッドの下面１１８上の接着剤１１６が爪１２０の表側１２４に結合される。このようにして、接着剤１１６がパッド１０２を爪１２０に着脱自在に貼付する。上で考察したように、パッド１０２の下面１１８上の接着剤１１６は、例えば爪から剥がされるなどして手動で取り外されるまでパッドを爪１２０に貼付された状態で維持するのに十分な強度を有する。パッドは、パッドの下面上の接着剤を爪から離すために、頂縁部、底縁部、左側縁部または右側縁部を後方に剥がすことにより、取り外され得る。このようにして、手信号の視認性を向上させるためのデバイス１００は、有利なことに、比較的容易かつ比較的迅速な付着・除去方法を可能とする。パッド１０２が爪１２０に付着されている状態で手信号を提供すると、パッドの反射性の上面１１４が提示され得るようになる。このようにして、パッドが爪に付着されていないときに提供される手信号と比較して、パッド１０２が爪１２０に付着されているときに提供される手信号の視認性が有利に向上する。
【００２０】
[0028]図４は、手１３０の指１２２にそれぞれ付着されている、手信号の視認性を向上させるための複数のデバイス１００の上面図である。図４に見られるように、手１３０の各指１２２が、それぞれの爪１２０に付着されている少なくとも１つのパッド１０２を有する。手１３０の爪１２０が特に大きい場合、人によっては指１２０に複数のパッド１０２を付着することができる。図４に例として示される手１３０の親指１３２は、親指の爪１２０（すなわち、サムネイル）上で互いに層状に重ねられる、手信号の視認性を向上させるための２つのパッド１３４および１３６を有する。爪１２０が特に大きい場合、人によっては複数のパッド１０２を付着して層状に重ねることができる。また、人によっては、個別のパッド１０２を１つまたは複数の指１２２に付着することができ、例えば、一本の指のみ、各々の指、または、指の任意のサブセットに付着してもよい。
【００２１】
[0029]次に図５Ａ〜図５Ｃを参照すると、手信号の視認性を向上させるためデバイス１００を使用する例示の方法が示される。この実施例では、図５Ｂの拡大図で見られるように、野球のキャッチャ１３８が、手信号の視認性を向上させるためのデバイス１００のパッド１０２を自分の手１３０の４つの各々の指１２２に付着している。このようにして、デバイス１００が、図５Ｃに例として示されるように、野球のピッチャ１４０から見る場合の、キャッチャ１３８によって提供される手信号の視認性を向上させる。上で考察したように、デバイス１００は、手信号の視認性を向上させることを目的として、情報を伝達するのに手信号が使用されるような任意の状況で採用され得ることが理解される。
【００２２】
[0030]図６は、手信号の視認性を向上させるためのデバイス１００の実装形態の一実施例の概略図である。図６に示されるデバイス１００は図１に示されるデバイスと等しい形状を有する。上で考察したように、デバイス１００のパッド１０２は、直線状の頂縁部１０６と、アーク形状の底縁部１０８と、アーク形状の左側縁部１１０と、アーク形状の右側縁部１１２とを有することができる。パッド１０２は、幅Ｗ、頂縁部の長さＬ１、および、底縁部の長さＬ２を有することができる。
【００２３】
[0031]図６に見られるように、デバイス１００のパッド１０２のアーク形状の縁部１０８、１１０および１１２は円の円弧に一致してよい。例えば、パッド１０２の底縁部１０８は半径Ｒ１を有する円Ｃ１の円弧に一致してよく、パッドの左側縁部１１０は半径Ｒ２を有する円Ｃ２の円弧に一致してよく、パッドの右側縁部は半径Ｒ３を有する円Ｃ３の円弧に一致してよい。この実施例では、パッド１０２のアーク形状の底縁部１０８はアーク長さＡ１を有し、パッドのアーク形状の左側縁部１１０はアーク長さＡ２を有し、パッドのアーク形状の右側縁部１１２はアーク長さＡ３を有する。また、この実施例では、パッド１０２のアーク形状の底縁部１０８は深さ（すなわち、矢）Ｄ１を有し、パッドのアーク形状の左側縁部１１０は深さＤ２を有し、また、パッドのアーク形状の右側縁部１１２は深さＤ３を有する。
【００２４】
[0032]手信号の視認性を向上させるためのデバイスの２つの例示の実施形態を説明する。与えられる寸法が近似であり、四捨五入されて測定値の小数第３位までが示されることが理解される。測定値の単位はインチ（ｉｎ．）およびセンチメートル（ｃｍ）の両方で与えられる。以下で説明される２つの実施形態が単に例であり、別の実施形態が代替の寸法を有し得ることが理解される。
【００２５】
[0033]例示の一実施形態では、パッド１０２は約０．３８９ｃｍ（０．１５３ｉｎ．）の幅Ｗと、約０．６３５ｃｍ（０．２５０ｉｎ．）の頂縁部長さＬ１と、約０．６８６ｃｍ（０．２７０ｉｎ．）の底縁部長さＬ２とを有する。この例示の実施形態では、アーク形状の底縁部１０８は、約０．８４６ｃｍ（０．３３３ｉｎ．）の半径Ｒ１を有する円Ｃ１の円弧に一致し、アーク形状の左側縁部１１０は約０．５００ｃｍ（０．１９７ｉｎ．）の半径Ｒ２を有する円Ｃ２の円弧に一致し、アーク形状の右側縁部１１２は約０．５００ｃｍ（０．１９７ｉｎ．）の半径Ｒ３を有する円Ｃ３の円弧に一致する。さらに、この実施例では、アーク形状の底縁部１０８は、約０．７０９ｃｍ（０．２７９ｉｎ．）のアーク長さＡ１と、約０．０７１ｃｍ（０．０２８ｉｎ．）の深さＤ１とを有し、アーク形状の左側縁部１１０は、約０．４０１ｃｍ（０．１５８ｉｎ．）のアーク長さＡ２と、約０．０４１ｃｍ（０．０１６ｉｎ．）の深さＤ２とを有し、アーク形状の右側縁部１１２は、約０．４０１ｃｍ（０．１５８ｉｎ．）のアーク長さＡ３と、約０．０４１ｃｍ（０．０１６ｉｎ．）の深さＤ３とを有する。
【００２６】
[0034]別の例示の一実施形態では、パッド１０２は、約１．１６８ｃｍ（０．４６０ｉｎ．）の幅Ｗと、約１．９０５ｃｍ（０．７５０ｉｎ．）の頂縁部長さＬ１と、約２．０５７ｃｍ（０．８１０ｉｎ．）の底縁部長さＬ２とを有する。この例示の実施形態では、アーク形状の底縁部１０８は、約２．５７３ｃｍ（１．０１３ｉｎ．）の半径Ｒ１を有する円Ｃ１の円弧に一致し、アーク形状の左側縁部１１０は、約１．５０４ｃｍ（０．５９２ｉｎ．）の半径Ｒ２を有する円Ｃ２の円弧に一致し、アーク形状の右側縁部１１２は約１．５０４ｃｍ（０．５９２ｉｎ．）の半径Ｒ３を有する円Ｃ３の円弧に一致する。また、この実施例では、アーク形状の底縁部１０８は約２．１５６ｃｍ（０．８４９ｉｎ．）のアーク長さＡ１と、約０．２１３ｃｍ（０．０８４ｉｎ．）の深さＤ１とを有し、アーク形状の左側縁部１１０は約１．１６１ｃｍ（０．４５７ｉｎ．）のアーク長さＡ２と、約０．１１９ｃｍ（０．０４７ｉｎ．）の深さＤ２とを有し、アーク形状の右側縁部１１２は約１．１６１ｃｍ（０．４５７ｉｎ．）のアーク長さＡ３と、約０．１１９ｃｍ（０．０４７ｉｎ．）の深さＤ３とを有する。
【００２７】
[0035]次に図７を参照すると、手信号の視認性を向上させるためのデバイス１００の別の実施例が示される。この実施例では、複数のパッド１０２が転写シート１４２に着脱自在に貼付される。転写シート１４２は、手信号の視認性を向上させることを目的として個人がパッドを使用することを所望するときまで比較的容易に保管することができるようにパッド１０２を保持する。転写シート１４２は透明であっても不透明であってもよく、また、紙、プラスチック、または、転写シートの表面１４４に着脱自在に貼付されるパッド１０２を保持するのに適する別の材料で形成されてよい。図７に示される例示のデバイス１００で見られるように、パッド１０２はサイズが一様であり、転写シート１４２上で複数の列１４６として配置され、列１４６が複数のパッドが含む。図７に例として示されるように、各列１４６は５つのパッド１０２を含むことができ、これらの５つのパッド１４６は個人の手１３０の５本の指１２２にそれぞれ対応する。
【００２８】
[0036]一実装形態の上記の記述は、例示および説明を行うことを目的として提示されるものである。一実装形態の上記の記述は包括的ではなく、特許請求される本発明を開示される厳密な形態のみに限定するものではない。上記の説明に照らし合わせて修正および変更を行うことが可能であり、また、本発明を実施することにより修正および変更を行うことも可能である。また、本実装形態がデバイスごとに変化し得ることにも留意されたい。特許請求の範囲およびそれらの均等物が本発明の範囲を定義する。
【図１】
2014515304.tif 000003
【図２】
2014515304.tif 000004
【図３】
2014515304.tif 000005
【図４】
2014515304.tif 000006
【図５Ａ】
2014515304.tif 000007
【図５Ｂ】
2014515304.tif 000008
【図５Ｃ】
2014515304.tif 000009
【図６】
2014515304.tif 000010
【図７】
2014515304.tif 000011
【国際調査報告】
2014515304.tif 000012
2014515304.tif 000013